(57)【要約】　　　（修正有）【課題】組立に必要な部材を省略化することができ、組立に必要な作業も大幅に簡略化することができる、改良された新しい引き出しを提供する。また、収納物に応じて、適宜に収納スペースをスムーズに変更でき、引き出しの開閉時の振動等による、奥行き寸法の小さい小物類の振動・転倒の防止効果が得られる引き出しを提供する。【解決手段】化粧板（１）と蹴込板（２）とが連結板（２０）を介して連結され、化粧板（１）と後板（４）とが補強部材（６）によって連結されている引き出しにおいて、補強部材（６）の端部が、連結板（２０）を貫通して化粧板（１）裏面の孔部に嵌合していることを特徴とする。【選択図】　図１
2004049866.tif 000002
【特許請求の範囲】
【請求項１】
化粧板と蹴込板とが連結板を介して連結され、化粧板と後板とが補強部材によって連結されている引き出しにおいて、補強部材の端部が、連結板を貫通して化粧板裏面の孔部に嵌合していることを特徴とする引き出し。
【請求項２】
連結板と蹴込板が一体であることを特徴とする請求項１の引き出し。
【請求項３】
引き出しの左右両側端部に配設されている一対の補強部材間には、前後方向に停止と摺動が可能な仕切り具が架渡しされていることを特徴とする請求項１または２の引き出し。
【発明の詳細な説明】
【０００１】
【発明の属する技術分野】
この出願の発明は厨房やオフィス等の収納設備として設置される、組立が容易な新しい引き出しに関するものである。さらに詳しくは、この出願の発明は、組立が容易であるとともに収納物に応じて、適宜に収納スペースをスムーズに変更でき、引き出しの開閉時の振動等による、奥行き寸法の小さい小物類の振動・転倒の防止効果も得られる新しい引き出しに関するものである。
【０００２】
【従来の技術】
厨房等の収納設備として、従来より、図６に例示したような引き出しが知られている（たとえば特許文献１、参照）。この引き出しは、化粧板（１）、蹴込板（２）、左右の側板（３）、後板（４）および底板（５）からなる箱体であって、この箱体の両側部には、化粧板（１）と後板（４）とを連結する補強部材（６）を配設している。
【０００３】
補強部材（６）は、箱体の歪みを防止するとともに収納物の落下防止のための役割を担っている。
【０００４】
引き出しの前面を構成する化粧板（１）と蹴込板（２）とは、その相互が上下の位置関係になるように、また化粧板（１）と蹴込板（２）が間隔を設けて前後の位置関係となるように、連結板（７）によって連結されている。化粧板（１）と蹴込板（２）とがこのような位置関係にあることによって、化粧板（１）の下端を取っ手として引き出しを引き出すことができ、また引き出しを押し込む場合には、蹴込板（２）を足で蹴り込むようにすることもできるようになっている。
【０００５】
このような構成からなる従来の引き出しを組み立てる場合には、化粧板（１）と蹴込板（２）とを連結板（７）によって連結し、蹴込板（２）に側板（３）、底板（５）および後板（４）を連結して箱体を構成し、さらに化粧板（１）と後板（４）との間に補強部材（６）を結合するようにしている。
【０００６】
そして、連結板（７）によって化粧板（１）と蹴込板（２）とを連結する場合には、図７に示したように、連結板（７）の一端を先ず化粧板（１）の下端側にビス（８）で固定し、次いで連結板（７）の他端に蹴込板（２）をビス（９）で固定するようにしている。連結板（７）と蹴込板（２）とを先に連結してしまうと、蹴込板（２）の存在によって連結板（７）を化粧板（１）に固定するためのビス（８）の打ち込みが困難になるためである。
【０００７】
また、厨房等の収納設備として用いられる引き出しについては、箱体内に小物類を収納する収納スペースを設けることが、たとえば図８のような引き出し構造として提案されている（特許文献２）。この図８の引き出しは、化粧板（１）、連結板（７）および蹴込板（２）を有し、化粧板（１）は、連結板（７）の化粧板取付け部（１３）に取付けネジ（１７）によって取付けられ、蹴込板（２）は、蹴込板上端部（２０１）において連結板（７）の蹴込板取付け部（１６）に嵌合され、取付けネジ（１７）によって取付け固定されている。そして、連結板（７）には、平坦部（１４）端部に立設されたストッパ壁（１５）が具備され、平坦部（１４）とストッパ壁（１５）とによって小物類の収納を可能としている。ストッパ壁（１５）は、引き出しの開閉時に生じる振動による、小物類の落下防止の役割を担っている。
【０００８】
引き出し箱体内の収納スペースの区分については、図９に例示したような引き出しも提案されている（特許文献３）。この例の引き出しでは、化粧板（１）、蹴込板（２）、収納部（１９）および仕切り板（１８）を有し、仕切り板（１８）は、収納部（１９）の内部に引き出しと一体型として固定されている。また、この例の引き出しにおける蹴込板（２）は、蹴込板（２）を取付けるために設けられた凹所である蹴込用凹所（２０２）の奥部に取付け固定されている。
【０００９】
【特許文献１】
特開２００１−２２４４５１号公報
【特許文献２】
特開２００１−１８６９４７号公報
【特許文献３】
実開昭６０−１１５０３１号公報
【００１０】
【発明が解決しようとする課題】
しかしながら、前記図６および図７のとおりの、補強部材（６）を有し、化粧板（１）に連結板（７）を固定し、次いで連結板（７）に蹴込板（２）を固定する従来の引き出しの場合には、図１０に示したように、化粧板（１）を平面（１０）上に横たえ、上方向からビス（９）を打ち込んで連結板（７）に蹴込板（２）を固定するが、蹴込板（２）と平面（１０）との間には空間（Ｈ）が存在するため、この空間（Ｈ）に何らかの台座部材（１１）を挿入して蹴込板（２）を位置固定する必要があり、作業の容易性、位置決め等の観点から、ビス（９）の打ち込み作業が面倒なものになっていた。
【００１１】
また、化粧板（１）に蹴込板（２）をビス（８）を固定する場合も、化粧板（１）にはビス（８）用の下穴加工が必要であり、ビス固定の位置決めは必ずしも容易でなく、作業工程が複雑なものとなっていた。
【００１２】
また、引き出し箱体内に小物類等のための収納スペースを化粧板（１）の裏側に設けた図８例示の引き出しにおいては、収納物（特に小物類）の収納スペースである平坦部（１４）の奥行きを超える大きさ等の収納物の収納は困難であり、また図９で例示した引き出しにおいても、仕切り板（１８）の固定で区分された収納スペースを越える収納物の収納は困難であった。
【００１３】
この出願は、以上のとおりの事情に鑑みてなされたものであって、組立に必要な部材を省略化することができ、組立に必要な作業も大幅に簡略化することができる、改良された新しい引き出しを提供することを課題としている。
【００１４】
また、この出願の発明は、収納物に応じて、適宜に収納スペースをスムーズに変更でき、引き出しの開閉時の振動等による、奥行き寸法の小さい小物類の振動・転倒の防止効果が得られる引き出しを提供することを課題としている。
【００１５】
【課題を解決するための手段】
この出願は、前記の課題を解決するための発明として、第１に、化粧板と蹴込板とが連結板を介して連結され、化粧板と後板とが補強部材によって連結されている引き出しにおいて、補強部材の端部が、連結板を貫通して化粧板裏面の孔部に嵌合していることを特徴とする引き出しを、第２には、この発明は、蹴込板と連結板が一体であることを特徴とする引き出しを提供する。
【００１６】
また、第３には、引き出しの左右両側端部に配設されている一対の補強部材間には、前後方向に停止と摺動が可能な仕切り具が架渡しされていることを特徴とする引き出しを提供する。
【００１７】
【発明の実施の形態】
以下、添付した図面に沿って、この出願の発明の実施形態について詳細かつ具体的に説明する。
【００１８】
図１は、この発明の引き出しの一実施例を示した側面図である。この図１に例示したように、この発明の引き出しは、化粧板（１）、蹴込板（２）、左右の側板（３）、後板（４）および底板（５）によっては固体を構成し、この箱体の両側部の化粧板（１）と後板（４）との間には、箱体の歪みを防止するとともに、収納物の落下防止のための補強部材（６）を配設している。そして、化粧板（１）と蹴込板（２）とは連結板（７）によって連結されている。
【００１９】
図２は、この発明の引き出しにおける、化粧板（１）と蹴込板（２）との連結板（２０）による連結状態を示した側面図である。連結板（２０）は、化粧板（１）の裏面に当接する垂直面（２１）と、この垂直面（２１）に配設された水平面（２２）とを有し、水平面（２２）に蹴込板（２）が垂下されている。そして、この連結板（２０）は、図３に例示したように、その垂直面（２１）の貫通孔（２３）を介して化粧板（１）の裏面に形成した孔部（１２）に補強部材（６）の端部を挿入嵌合させることによって、化粧板（１）に固定される。従って、この発明の引き出しにおいては、化粧板（１）に連結板（２０）を固定する際に、ビス固定の工程を必要としない。このことは、連結板（２０）と蹴込板（２）とを事前に連結固定しておくことを可能とする。このため、連結板（２０）と蹴込板（２）との連結固定は、図８に例示したような台座部材（１１）を用いることなく、任意の形態として簡便に行うことが可能となる。
【００２０】
さらに、連結板（２０）と蹴込板（２）との連結は、その各々のビス固定だけでなく、接着や、あるいは一体成型等として構成することもできる。特に一体成型品の使用は、組立工程時において連結板（２０）と蹴込板（２）との連結工程を省略することができ、作業の一層の簡略化が可能となる。
【００２１】
以上のとおりの構成からなるこの発明の引き出しは、蹴込板（２）を連結固定（または一体化）した連結板（２０）を、補強部材（６）によって化粧板（１）に固定し、次いで側板（３）、後板（４）および底板（５）によって箱体を形成し、最後に補強部材（６）の後板（４）の所定箇所に連結することによって組み立てることができる。
【００２２】
なお、この発明の引き出しを構成する各部材は、従来の引き出しと同様に木質材、金属材、樹脂材等を適宜に使用することができる。また、補強部材（６）は金属製の角柱材、円柱材等とすることができる。あるいは、図４に示したように、先端の嵌合部（６１）に隣接して膨大部（６２）を有するギャラリーパイプ（６０）を使用することもできる。このギャラリーパイプ（６０）は、図４の下図に示したように、その膨大部（６２）によって連結板（２０）に対する固定力が向上するため、この発明の引き出しに使用する補強部材（６）として好ましい。
【００２３】
図５では、この発明の上記の実施形態の引き出しに、さらに仕切り具（７０）を配設した例を模式的に示している。この図５の例では、引き出しの左右両側端部に設置された一対の補強部材（６）間に仕切り具（７０）を架渡している。仕切り具（７０）は、適宜に前後方向（矢印）への摺動と所望位置での停止が可能とされている。この仕切り具（７０）の配設によって、仕切り具（７０）と、連結板（２０）並びに補強部材（６）によって囲まれたスペースは、小物類等の収納のための段付き収納部が構成されることになる。この段付き収納部を構成するために、仕切り具（７０）は、これが架渡しされた補強部材（６）との結合が所望の位置となるように手操作によって摺動可能とされ、しかも引き出しの開閉時の振動によって、さらには収納した小物類等によって簡単には移動しない程度に停止可能とされている。
【００２４】
摺動と停止が可能とされるためには、前記の結合の部位においては、補強部材（６）と仕切り具（７０）との接触部を比較的摩擦による抵抗があるゴム等の部材により構成されることや、ネジやクランプ等による固定摺動機構等とすることが考慮される。これらによって、仕切り具（７０）は、その両端が一対の補強部材（６）に架渡しされていることから、この補強部材（６）にガイドとされてスムーズに摺動されることになる。使用者の任意の収納スペースへの変更が可能とされている。
【００２５】
また、添付した図には示していないが、この仕切り具（７０）は、複数の仕切り具（７０）を組み合わせることもできる。これによって複数の収納スペースを得ることができる。なお、仕切り具（７０）の材質は、木質材、金属材、樹脂材等を適宜に使用でき、また形状も角柱状や円柱状等の棒状、板状あるいは網状等、収納スペースを区分できるものであれば各種形状のものが考慮される。
【００２６】
この出願の発明は、もちろん以上の例によって限定されるものではなく、細部について様々な形態が可能であることは言うまでもない。
【００２７】
【発明の効果】
以上詳しく説明したとおり、この出願の発明によって、組立に必要な部材を省略化することができ、組立に必要な作業も大幅に簡略化することができる、改良された新しい引き出しが提供される。
【００２８】
また、この出願の発明よって、収納物に応じて、適宜に収納スペースをスムーズに変更でき、引き出しの開閉時の振動等による、奥行き寸法の小さい小物類の振動・転倒の防止効果が得られる引き出しが提供される。
【図面の簡単な説明】
【図１】この発明の引き出しの一実施例を示した側面図である。
【図２】図１に例示した引き出しにおける化粧板と蹴込板との連結状態を示した側面図である。
【図３】この発明の引き出しにおける化粧板と蹴込板との連結方法の別の例を示した斜視図である。
【図４】この発明の引き出しにおける化粧板と蹴込板との連結方法の別の例を示した斜視図（上）と、連結固定後の状態を示した側面図（下）である。
【図５】この発明の引き出しにおける左右に設置された補強部材に架渡しされた仕切り具を配設した状態を模式的に例示した斜視図である。
【図６】従来の引き出しを例示した側面図である。
【図７】図６に例示した従来の引き出しにおける化粧板と蹴込板との連結部を例示した側面図である。
【図８】従来における小物類の収納スペースが備えられた引き出しを例示した拡大斜視図である。
【図９】従来における収納スペース内に仕切り板が配設された引き出しを模式的に例示した斜視図である。
【図１０】図６および図７の従来の引き出しにおける蹴込板と連結板との固定方法を示した側面図である。
【符号の説明】
１　　化粧板
２　　蹴込板
２０１　　蹴込板上端部
２０２　　蹴込用凹所
３　　側板
４　　後板
５　　底板
６　　補強部材
７　　連結板
８、９　　ビス
１０　平面
１１　台座部材
１２　孔部
１３　化粧板取付け部
１４　平坦部
１５　ストッパ壁
１６　蹴込板取付け部
１７　取付けネジ
１８　仕切り板
１９　収納部
２０　連結板
２１　垂直面
２２　水平面
２３　貫通孔
６０　ギャラリーパイプ
６１　嵌合部
６２　膨大部
７０　仕切り具
【図１】
2004049866.tif 000003
【図２】
2004049866.tif 000004
【図３】
2004049866.tif 000005
【図４】
2004049866.tif 000006
【図５】
2004049866.tif 000007
【図６】
2004049866.tif 000008
【図７】
2004049866.tif 000009
【図８】
2004049866.tif 000010
【図９】
2004049866.tif 000011
【図１０】
2004049866.tif 000012